(57)【特許請求の範囲】
【請求項１】
回転自在な回転部と一緒に回転する駆動カムと、リフィールに連結されると共に、中駒内のガイド溝に沿って摺動するスライド駒との協働により、前記リフィールの先端を出没させる筆記具において、
前記ガイド溝は、断面逆ハの字状をなすガイド側面を有し、前記スライド駒は、前記ガイド溝の前記ガイド側面に対して摺動する断面逆ハの字状のスライド側面を有し、
前記ガイド溝は、断面Ｖ字状をなすガイド底面を有し、前記スライド駒は、前記ガイド溝の前記ガイド底面に対して摺動する断面Ｖ字状のスライド底面を有することを特徴とする筆記具。
【発明の詳細な説明】
【技術分野】
【０００１】
本発明は、駆動カムの回転によりリフィールの先端を出没させる筆記具に関するものである。
【背景技術】
【０００２】
従来、このような分野の技術として、実公平４−４２１５３号公報がある。この公報に記載された筆記具は、回転式多芯筆記具であり、前軸に対してキャップ(回転部)を回転させることによって、前軸の先端からリフィールを選択的に出没させている。キャップと一緒に回転する円筒カム(駆動カム)は、摺動コマ(スライド駒)を、ガイド筒(中駒)に設けられた摺動溝(ガイド溝)に沿って摺動する。そして、円筒カムの山形のカム面の先端に形成された切欠部内に摺動コマの尖端が入り込むことにより、前軸の先端からリフィールを突出させた状態を維持させることができる。この状態からキャップと一緒に円筒カムを回転させると、円筒カムの切欠部から摺動コマの尖端が外れ、摺動溝に沿って摺動コマを移動させながら前軸内にリフィールの先端が引き戻される。
【０００３】
【特許文献１】実公平４−４２１５３号公報
【特許文献２】実開平５−４１８８２号公報
【発明の開示】
【発明が解決しようとする課題】
【０００４】
前述した従来の筆記具では、ガイド筒(中駒)に設けられた摺動溝(ガイド溝)は、平行に対面するガイド側面と円形のガイド底面とからなる断面Ｕ字形状をなし、摺動コマ(スライド駒)を、平行なガイド側面で横から挟み込むようになっている。その結果、摺動溝と摺動コマとが精度良く成形されていないと、摺動溝のガイド側面で摺動コマを押え込むように、摺動コマが、円筒カムのカム面とバネとによって規制されながら摺動溝内を移動するので、摺動コマを摺動溝内で滑らかに且つ安定性良く摺動させることができない虞があった。
【０００５】
本発明は、中駒のガイド溝内でスライド駒を滑らかに且つ安定性良く摺動させるようにした筆記具を提供することを目的とする。
【課題を解決するための手段】
【０００６】
本発明は、回転自在な回転部と一緒に回転する駆動カムと、リフィールに連結されると共に、中駒内のガイド溝に沿って摺動するスライド駒との協働により、リフィールの先端を出没させる筆記具において、
ガイド溝は、断面逆ハの字状をなすガイド側面を有し、スライド駒は、ガイド溝のガイド側面に対して摺動する断面逆ハの字状のスライド側面を有し、
ガイド溝は、断面Ｖ字状をなすガイド底面を有し、スライド駒は、ガイド溝のガイド底面に対して摺動する断面Ｖ字状のスライド底面を有することを特徴とする。
【０００７】
この筆記具においては、ガイド溝のガイド側面及びスライド駒のスライド側面を、断面逆ハの字状に形成している。従って、製造時にガイド溝及びスライド駒に寸法バラツキが例え発生したとしても、ガイド溝のガイド側面がスライド駒を押さえ込むことが無いので、スライド駒は、駆動カムのカム面とバネとによって規制されながらガイド溝内を滑らかに且つ安定性良く摺動することができる。
【０００８】
さらに、ガイド溝は、断面Ｖ字状をなすガイド底面を有し、スライド駒は、ガイド溝のガイド底面に対して摺動する断面Ｖ字状のスライド底面を有する。
このような構成は、スライド駒を、ガイド溝内で横ズレすることなく摺動させることができるので、スライド駒のガタツキを抑制することができ、この構成は、ボールペン型リフィールに適している。さらに、断面円弧状のガイド底面と形状的な差別化を図ることができるので、手組みの際の誤作業を防止することができる。
【発明の効果】
【００１０】
本発明によれば、中駒のガイド溝内でスライド駒を滑らかに且つ安定性良く摺動させることができる。
【発明を実施するための最良の形態】
【００１１】
以下、図面を参照しつつ本発明に係る筆記具の好適な実施形態について詳細に説明する。なお、ペン先側を「前方側」として以下説明する。
【００１２】
図１に示すように、回転式多芯筆記具１は、前軸２ａと後軸(回転部)２ｂとからなる軸筒２を有し、前軸２ａには、表面をメッキ処理した略円錐状の先口部材１９が装着され、後軸２ｂにはクリップ２ｃが一体に形成され、前軸２ａと後軸２ｂとは相対的に回転する。さらに、軸筒２の前軸２ａの外周には、弾性体からなる筒状のグリップ部３が装着されている。このグリップ部３は、弾性変形し易い軟質材(例えば熱可塑性エラストマー(ＴＰＥ))からなり、二色成形によって、前軸２ａとグリップ部３は一体的に形成されている。
【００１３】
軸筒２内には、２本のボールペン型リフィール（例えば、赤、黒のインクが入ったリフィール）４ａとシャープペンシル型リフィール４ｂとが収容されている。各リフィール４ａ，４ｂは、軸筒２内に収容された中駒６によって支持され、この中駒６は、前軸２ａに対して回転しないように連結されると共に、後軸２ｂに対して回転するように連結されている。
【００１４】
さらに、中駒６には、後述するリフィール装着部１４が差し込まれる３個の挿入孔６ａと、各挿入孔６ａから後方に向かって軸線Ｌ方向に延在するガイド溝６ｂとが形成されている。各ガイド溝６ｂ内では、リフィール装着部１４の後端に固定されたスライド駒７が摺動する。そして、各ガイド溝６ｂ内には、リフィール装着部１４に巻回された圧縮バネ８が装填され、圧縮バネ８の一端は中駒６によって支持され、圧縮バネ８の他端はスライド駒７によって支持されている。
【００１５】
さらに、図２及び図３に示すように、中駒６の後端に設けられた支軸部６ｃによって、筒状の駆動カム９が回転自在に支持されている。支軸部６ｃを中心に後軸(回転部)２ｂと一緒に回転する駆動カム９は、内側で支軸部６ｃに回転自在に連結される円筒状の基部１０と、この基部１０の後端から突出して消しゴム１３が装填されると共に、キャップ５を保持する消しゴム収容部１１と、基部１０の前端から軸筒２の先端側に向けて突出するカム本体部１２とからなる。このカム本体部１２は、基部１０の端から爪状に突出すると共に、円筒を斜めに切断した形状をなし、カム本体部１２の輪郭に沿って山形の傾斜カム面１２ａが形成されている。
【００１６】
これに対して、圧縮バネ８の付勢力によって駆動カム９の従動部材として機能する各スライド駒７は、ガイド溝６ｂ内を摺動する摺動部１５と、摺動部１５から突出すると共に、リフィール４ａ，４ｂの後部が着脱自在に装着されるパイプ状のリフィール装着部１４の後端内に挿入されてリフィール装着部１４を保持し、リフィール装着部１４を介してスライド駒７をリフィール４ａ，４ｂの後端側に連結させるための差込みピン１６と、摺動部１５に一体に形成されると共に、三角形状をなす従動部１７とからなる。
【００１７】
従動部１７には、駆動カム９の傾斜カム面１２ａに沿って摺動するＶ字状の従動面１７ａが形成され、三角形状のカム本体部１２の先端には、従動部１７の尖端１７ｂが入り込んで従動部１７を係止させるための窪み部３０が形成されている。従って、後軸２ｂと一緒に駆動カム９が回転すると、カム本体部１２の窪み部３０内にスライド駒７の従動部１７の尖端１７ｂの何れかが選択的に入り込むので、後軸２ｂの回転によって、リフィール４ａ，４ｂの先端の何れかを軸筒２の先端から突出させることができる。
【００１８】
図３及び図４に示すように、中駒６に設けられたガイド溝６ｂは、ボールペン用のリフィール４ａがリフィール装着部１４を介して連結されたボールペン用スライド駒７ａのための第１のガイド溝４０と、シャープペンシル用のリフィール４ｂがリフィール装着部１４を介して連結されたシャープペンシル用スライド駒７ｂのための第２のガイド溝５０とからなる。
【００１９】
ボールペン用スライド駒７ａのガイドに利用される第１のガイド溝４０は、断面逆ハの字状をなすガイド側面４０ａと、断面Ｖ字状をなすガイド底面４０ｂとを有している。これに対して、図５及び図６に示すように、ボールペン用スライド駒７ａの摺動部１５Ａには、第１のガイド溝４０のガイド側面４０ａに対して摺動する断面逆ハの字状のスライド側面４１と、第１のガイド溝４０のガイド底面４０ｂに対して摺動する断面Ｖ字状のスライド底面４２とが形成されている。さらに、摺動部１５Ａには、スライド側面４１とスライド底面４２とに渡って凹部４３が形成されている。この凹部４３によって、摺動抵抗を低減させている。
【００２０】
このように、第１のガイド溝４０は、断面Ｖ字状をなすガイド底面４０ｂを有し、スライド駒７ａは、第１のガイド溝４０のガイド底面４０ｂに対して摺動する断面Ｖ字状のスライド底面４２を有しているので、スライド駒７ａを、第１のガイド溝４０内で横ズレすることなく摺動させることができ、その結果として、スライド駒７ａのガタツキを抑制することができる。このような構成は、ボールペン型リフィール４ａに適している。さらに、後述する断面円弧状のガイド底面５０ｂと形状的な差別化を図ることができるので、手組みの際の誤作業を防止することができる。
【００２１】
図４に示すように、シャープペンシル用スライド駒７ｂのガイドに利用される第２のガイド溝５０は、断面逆ハの字状をなすガイド側面５０ａと、断面円弧状をなすガイド底面５０ｂとを有している。これに対して、図７及び図８に示すように、シャープペンシル用スライド駒７ｂの摺動部１５Ｂには、第２のガイド溝５０のガイド側面５０ａに対して摺動する断面逆ハの字状のスライド側面５１と、第２のガイド溝５０のガイド底面５０ｂに対して摺動する断面円弧状のスライド底面５２とが形成されている。
【００２２】
断面円弧状のガイド底面５０ｂ及び断面円弧状のスライド底面５２を採用している理由について、図４を参照しながら説明する。なお、説明の都合上、リフィール４ａ，４ｂの後端がスライド駒７ａ，７ｂに直接連結されているとして説明する。略同径のリフィール４ａ，４ｂは、軸線Ｌ上に位置する中駒６の中心点Ａを中心とした円Ｂ上に等角度で配置される。また、略同径の圧縮バネ８を第１及び第２のガイド溝４０，５０内にそれぞれ配置させる。なお、符号Ｅ，Ｆは、圧縮バネ８の中心であり、符号Ｆは、リフィール４ａの中心でもある。
【００２３】
この場合に、点Ａと点Ｅとを結ぶ直線上においてリフィール４ｂとこれを包囲する圧縮バネ８Ａとの隙間Ｃと、点Ａと点Ｆとを結ぶ直線上においてリフィール４ａとこれを包囲する圧縮バネ８Ｂとの隙間Ｄとを比較すると、隙間Ｃの方が大きくなっている。従って、リフィール４ｂの後端を圧縮バネ８Ａから大きく離すことができるので、リフィール４ｂの自由な倒れ込み量が大きくなり、第２のガイド溝５０内で筆記具１の軸線Ｌに向けてリフィール４ｂを大きく傾けることができる。このような構成は、撓み難い金属製シャープペンシル型のリフィール４ｂに適している。
【００２４】
さらに、断面Ｖ字状のガイド底面４０ｂと形状的な差別化を図ることができるので、手組みの際の誤作業を防止することができる。なお、本実施形態では、リフィール装着部１４を介してスライド駒７ａ，７ｂとリフィール４ａ，４ｂとを連結しているので、この場合には、リフィール装着部１４の倒れ込み量が大きくなる。
【００２５】
この筆記具１においては、ガイド溝４０，５０のガイド側面４０ａ，５０ａ及びスライド駒７ａ，７ｂのスライド側面４１，５１を、断面逆ハの字状に形成している。従って、製造時にガイド溝４０，５０及びスライド駒７ａ，７ｂに寸法バラツキが例え発生したとしても、ガイド溝４０，５０のガイド側面４０ａ，５０ａがスライド駒７ａ，７ｂを押さえ込むことが無いので、スライド駒７ａ，７ｂは、駆動カム９の傾斜カム面１２ａとバネ８とによって規制されながらガイド溝４０，５０内を滑らかに且つ安定性良く摺動することができる。
【００２６】
ここで、中駒６の成形について簡単に説明する。図４を参照して、２方向の型開きによって２個の第1のガイド溝４０が成形され、第1のガイド溝４０を成形するための分割金型の間に配置された抜き金型によって、第２のガイド溝５０が成形される。具体的には、図４の左側に位置するガイド溝４０に形成された上側のガイド側面４０ａと、図４の右側に位置するガイド溝４０に形成された上側のガイド側面４０ａとを、分割金型の型開き方向と一致させる。これによって、中駒６に３個のガイド溝４０，５０を成形する際、３方向の型開きを行わなくても良くなり、金型構造を簡単にし、製造コストの削減が可能になる。
【００２７】
本発明は、前述した実施形態に限定されないことは言うまでもない。例えば、第１のガイド溝４０のみからなる中駒６でも良く、第２のガイド溝５０のみからなる中駒６であってもよい。本発明は、単芯であっても多芯であっても適用可能であり、ガイド溝の個数は、３個に限定されない。
【図面の簡単な説明】
【００２８】
【図１】本発明に係る筆記具の一実施形態を示す断面図である。
【図２】本発明に係る筆記具に適用する駆動カム及びスライド駒を示す斜視図である。
【図３】本発明に係る筆記具に適用する中駒を示す斜視図である。
【図４】図３のＩＶ−ＩＶ線に沿う断面図である。
【図５】ボールペン用のスライド駒を示す斜視図である。
【図６】図５のＶＩ−ＶＩ線に沿う断面図である。
【図７】シャープペンシル用のスライド駒を示す斜視図である。
【図８】図７のＶIII−ＶIII線に沿う断面図である。
【符号の説明】
【００２９】
１…筆記具、２…軸筒、２ａ…前軸、２ｂ…後軸(回転部)、４ａ，４ｂ…リフィール、６…中駒、７…スライド駒、９…駆動カム、４０，５０…ガイド溝、４０ａ，５０ａ…ガイド側面、４０ｂ，５０ｂ…ガイド底面、４１，５１…スライド側面、４２，５２…スライド底面。
【図１】
0005412041.tif 000002
【図２】
0005412041.tif 000003
【図３】
0005412041.tif 000004
【図４】
0005412041.tif 000005
【図５】
0005412041.tif 000006
【図６】
0005412041.tif 000007
【図７】
0005412041.tif 000008
【図８】
0005412041.tif 000009